(57)【特許請求の範囲】
【請求項１】
冷却対象が内部に配置され、冷却空気が流通する循環流路が形成された密閉筐体と、
前記密閉筐体内の前記冷却空気を循環させる循環ファンと、
前記循環流路上に配置され、前記密閉筐体内の前記冷却空気の熱を吸熱する吸熱器と、
前記冷却空気を送出する冷却ファンと、
前記冷却ファンから送出された前記冷却空気を前記冷却対象に導く導風ダクトと、
前記冷却対象と前記導風ダクトとの間に設けられ、結露した水滴を遮る隔壁と、
を備え、
前記密閉筐体は、環状の前記循環流路を形成する内壁部を内側に有し、
前記吸熱器は、前記内壁部を挟んで前記冷却対象とは反対側に配置され、
前記隔壁は、前記内壁部を挟んで前記吸熱器とは反対側に配置されていることを特徴とするプロジェクター。
【請求項２】
請求項１に記載のプロジェクターにおいて、
前記吸熱器は、前記密閉筐体内において前記第１方向に前記冷却空気が流通する位置に配置されていることを特徴とするプロジェクター。
【請求項３】
請求項１または２に記載のプロジェクターにおいて、
前記冷却ファンは、前記冷却対象に対して前記第２方向における上流側に配置されていることを特徴とするプロジェクター。
【請求項４】
請求項１から３のいずれか一項に記載のプロジェクターにおいて、
外装を構成する外装筐体をさらに備え、
前記冷却ファンの回転軸及び前記循環ファンの回転軸は、前記外装筐体の底面に対して略直交することを特徴とするプロジェクター。
【請求項５】
請求項１から４のいずれか一項に記載のプロジェクターにおいて、
前記冷却空気は、前記吸熱器を基準とした場合に、前記吸熱器、前記循環ファン、前記冷却ファン、前記冷却対象の順に流通することを特徴とするプロジェクター。
【請求項６】
請求項１から５のいずれか一項に記載のプロジェクターにおいて、
前記循環ファンは、前記密閉筐体内において第１方向に前記冷却空気を循環し、
前記冷却ファンは、前記密閉筐体内において前記第１方向とは反対の第２方向に前記冷却空気が流通する位置に配置され、かつ、前記冷却空気の送出方向が前記第２方向に沿うように配置されていることを特徴とするプロジェクター。
【請求項７】
請求項１から６のいずれか一項に記載のプロジェクターにおいて、
前記密閉筐体は、
前記冷却対象を冷却した冷却空気が流通する第１ダクトと、
一端が前記第１ダクトの一端に接続され、他端が前記導風ダクトに接続され、前記循環ファンによって送出された冷却空気が流通する第２ダクトと、
前記第１ダクトの他端と前記導風ダクトとを接続し、内部に前記冷却対象が配置され、前記内壁部を挟んで前記吸熱器とは反対側に配置されている接続部と、
を有し、
前記隔壁は、前記接続部に配置されていることを特徴とするプロジェクター。
【発明の詳細な説明】
【技術分野】
【０００１】
本発明は、プロジェクターに関する。
【背景技術】
【０００２】
従来、光源装置と、光源装置から射出された光束を画像情報に応じて変調して画像光を形成する液晶パネル等の光変調装置を備える電気光学装置と、画像光を拡大投射する投射レンズ（投射光学装置）とを備えたプロジェクターが知られている。
このようなプロジェクターにおいて、光変調装置を効果的に冷却するために、電気光学装置が内部に配置される密閉構造と、当該密閉空間内に配置されて空気を循環させる循環ファンと、密閉空間内の空気を冷却する冷却装置と、を備える構成が提案されている（例えば、特許文献１参照）。
【０００３】
この特許文献１に記載のプロジェクターでは、上記冷却装置は、第１の伝熱部材、熱電変換素子（ペルチェ素子）及び第２の伝熱部材を備える。第１の伝熱部材は、密閉構造内部に配置され、当該密閉構造内部の空気から吸熱して当該空気を冷却する。熱電変換素子は、第１の伝熱部材及び第２の伝熱部材のそれぞれに接続され、供給される電力により、第１の伝熱部材の熱を第２の伝熱部材に伝導する。第２の伝熱部材は、密閉空間外に配置され、熱電変換素子を介して第１の伝熱部材から伝導される熱を放熱する。このような冷却装置により、密閉空間内の空気が冷却され、当該空気が上記循環ファンによって循環されることにより、冷却対象である電気光学装置が冷却される。
【先行技術文献】
【特許文献】
【０００４】
【特許文献１】特開２０００−２９８３１１号公報
【発明の概要】
【発明が解決しようとする課題】
【０００５】
ところで、このように密閉構造内部に配置された伝熱部材を冷却することにより、当該内部の空気を冷却する構成である場合、環境温度や密閉空間内の温度及び湿度によっては、伝熱部材が結露する可能性がある。このような場合、結露により伝熱部材の表面に生じた水滴が、密閉容器内部で飛散する等して電気光学装置に付着する可能性がある。
【０００６】
本発明は、上記課題の少なくとも一部を解決することを目的としたものであり、結露の影響を抑制できるプロジェクターを提供することを目的の１つとする。
【課題を解決するための手段】
【０００７】
本発明の一態様に係るプロジェクターは、冷却対象を冷却する冷却装置を備え、前記冷却装置は、前記冷却対象が内部に配置され、冷却空気が流通する循環流路が形成された密閉筐体と、前記密閉筐体内の前記冷却空気を循環させる循環ファンと、前記循環流路上に配置され、前記密閉筐体内の前記冷却空気の熱を吸熱する吸熱器と、を備え、前記密閉筐体は、環状の前記循環流路を形成する内壁部を内側に有し、前記吸熱器は、前記内壁部を挟んで前記冷却対象とは反対側に配置されていることを特徴とする。
【０００８】
上記一態様によれば、冷却対象及び吸熱器が、密閉筐体の内壁部を挟んで反対側に配置される。これにより、吸熱器が結露した水滴が飛散しても、冷却対象に付着する前に、当該水滴を内壁部によって遮ることができる。従って、吸熱器に結露した水滴が飛散して、冷却対象に付着することを抑制できるので、冷却対象、ひいては、プロジェクターに対する結露の影響を抑制できる。
【０００９】
上記一態様では、前記吸熱器は、前記循環流路において前記冷却対象に流通する前記冷却空気の流通方向である一方の方向とは反対の方向に流通する前記冷却空気の流路上に配置されていることが好ましい。
上記一態様によれば、冷却対象と吸熱器とは、循環流路において、冷却空気の流通方向が反対方向となる位置に配置される。これによれば、当該循環流路において、冷却対象と吸熱器とを互いに反対側に確実に配置でき、冷却対象と吸熱器とを、互いに離して配置できる。従って、上記水滴が発生した場合でも水滴が冷却対象に付着することをより確実に抑制できる。
【００１０】
上記一態様では、前記冷却装置は、前記密閉筐体内の前記冷却空気を前記冷却対象に流通させる冷却ファン及び導風ダクトを有し、前記冷却ファンは、前記導風ダクトを介して前記一方の方向に前記冷却空気を送出し、前記循環ファンは、前記反対の方向に前記冷却空気を送出することが好ましい。
上記一態様によれば、冷却対象は、冷却空気が上記一方の方向に流通する流路上に位置していることから、冷却ファンが、導風ダクトを介して、冷却空気を上記一方の方向に送出することにより、冷却対象に冷却空気を確実に流通させることができる。また、循環ファンは、上記反対の方向に冷却空気を送出するので、当該循環ファンは、冷却空気が他方の方向に流通する流路上に位置することとなる。これによれば、吸熱器にて結露が発生して水滴が飛散する場合でも、循環ファンにより、当該水滴が更に飛散することを抑制できる。
【００１１】
上記一態様では、外装を構成する外装筐体を有し、前記冷却ファン及び前記循環ファンのそれぞれの回転軸は、前記外装筐体の底面に対して略直交することが好ましい。
ここで、例えば、上記一方の方向及び上記反対の方向に対する交差方向に冷却空気が流通する流路上に、当該交差方向に回転軸が沿うように、上記冷却ファン及び循環ファンが配置された場合、上記底面に対する直交方向（すなわち上記一方の方向及び上記反対の方向）の密閉筐体の寸法が、各ファンの寸法に応じて大きくなる。
これに対し、上記一態様によれば、冷却ファン及び循環ファンは、それぞれ上記一方の方向及び上記反対の方向に冷却空気を送出する位置に、上記底面に対して回転軸が略直交するようにそれぞれ配置される。これによれば、上記第底面に対する直交方向の密閉筐体の寸法を小さくすることができ、プロジェクターの薄型化を図ることができる。
【００１２】
上記一態様では、前記冷却空気は、前記吸熱器、前記循環ファン、前記冷却ファン、前記冷却対象の順に流通することが好ましい。
上記一態様によれば、冷却ファンによって冷却対象に送出され加熱された冷却空気を、循環ファンによって循環させて、吸熱器に導くことができ、また、温度が低い冷却空気を冷却対象に流通させることができる。従って、冷却対象を適切に冷却できる。
また、吸熱器に結露が生じた場合、冷却空気によって水滴が飛散する場合でも、吸熱器と冷却対象との間に循環ファン及び冷却ファンが位置するので、これらファンに水滴を留めることができる。
【００１３】
上記一態様では、外装を構成する外装筐体を有し、前記冷却対象及び前記吸熱器は、前記外装筐体の底面が略水平となる第１姿勢にて当該プロジェクターが設置された際に、水平方向に離間して配置され、前記吸熱器は、前記外装筐体の一側面が鉛直下方を向く第２姿勢にて当該プロジェクターが設置された際に、前記冷却対象よりも下方に位置することが好ましい。
上記一態様によれば、プロジェクターが上記第１姿勢で設置された場合、冷却対象と吸熱器とが水平方向に離間しているので、吸熱器に結露が生じた場合でも、水滴が冷却対象に付着することを抑制できる。一方、プロジェクターが上記第２姿勢で設置された場合でも、冷却対象より下側に吸熱器が位置しているので、上記水滴が冷却対象に付着することを抑制できる。従って、第１姿勢及び第２姿勢のいずれの姿勢でプロジェクターが設置される場合でも、結露の影響を抑制できる。
【００１４】
上記一態様では、前記冷却対象及び前記吸熱器は、前記第１姿勢から、前記外装筐体の背面が鉛直下方を向く第３姿勢、又は前記背面が鉛直上方を向く第４姿勢へ姿勢変更される際、前記姿勢変更の過程中、常時水平方向に離間して配置されることが好ましい。
上記一態様によれば、プロジェクターでは、第１姿勢から、第３姿勢又は第４姿勢へ、当該プロジェクターの姿勢を変更する過程においても、冷却対象と吸熱器とが、水平方向に離間して配置される。このような構成では、姿勢変更時や変更後に、吸熱器から水滴が落下して冷却対象に付着することを抑制でき、上記水滴の付着による不具合の発生を抑制できる。
なお、プロジェクターにおける背面とは、例えば、画像を投射する投射方向とは反対側に位置する面である。この場合、第３姿勢は、鉛直上方に画像を投射する姿勢（上方投射姿勢）であり、第４姿勢は、鉛直下方に画像を投射する姿勢（下方投射姿勢）である。
【図面の簡単な説明】
【００１５】
【図１】本発明の一実施形態におけるプロジェクターを示す斜視図。
【図２】上記実施形態におけるプロジェクターの内部構成を示す模式図。
【図３】上記実施形態における冷却装置の構成を示すブロック図。
【図４】上記実施形態における冷却装置の構成を示す模式図。
【発明を実施するための形態】
【００１６】
以下、本発明の一実施形態を図面に基づいて説明する。
［プロジェクターの概略構成］
図１は、本実施形態に係るプロジェクター１の外観構成を示す斜視図である。
プロジェクター１は、光源から出射された光束を変調して画像情報に応じた画像光を形成し、形成した画像光をスクリーン等の被投射面（図示省略）上に拡大投射するものである。このプロジェクター１は、図１に示すように、外装を構成する外装筐体２を備える。
【００１７】
［外装筐体の構成］
外装筐体２は、天面部２１、底面部２２、正面部２３、背面部２４、左側面部２５及び右側面部２６を有する。
この外装筐体２において、天面部２１には、プロジェクター１が使用者によって把持されたり、天井等に固定する際の固定具に接続されたりする把手２１１が設けられている。この他、天面部２１には、後述する光源装置４１を交換するための開口部（図示省略）が形成され、当該開口部は、カバー部材２１２によって覆われている。
正面部２３には、後述する投射光学装置４６の一部が露出する開口部２３１が形成されている。
右側面部２６には、平面視矩形状の吸気口２６１が形成されている。また、外装筐体２には、図示を省略するが、当該外装筐体２内の構成を冷却した空気を外部に排出する排気口が左側面部２５に形成されている。
【００１８】
なお、底面部２２が鉛直下方を向くようにプロジェクター１が配置されて画像光が水平方向に投射される姿勢を正置き姿勢（第１姿勢）とする。また、右側面部２６が鉛直下方を向くようにプロジェクター１が配置されて画像光が水平方向に投射される姿勢を横置き姿勢（第２姿勢）とする。また、底面部２２が、本発明の底面に相当し、背面部２４が本発明の背面に相当し、右側面部２６が本発明の一側面に相当する。
また、プロジェクター１は、正置き姿勢から、背面部２４が鉛直下方を向くように配置される上方投射姿勢（第３姿勢）、及び背面部２４が鉛直上方を向くように配置される下方投射姿勢（第４姿勢）をとることもできる。
【００１９】
［装置本体の構成］
図２は、プロジェクター１の内部構成を示す模式図である。
プロジェクター１は、上記外装筐体２の他に、当該外装筐体２内に配置される装置本体３を備える。この装置本体３は、図２に示すように、光学ユニット４を備える他、後述する冷却装置ＣＵ（図３参照）を備える。
なお、具体的な図示は省略したが、外装筐体２内において、各部材４〜７以外の空間には、プロジェクター１の各構成部材に電力を供給する電源ユニット、及び、プロジェクター１の各構成部材の動作を制御する制御装置等が配置されるものとする。
【００２０】
［光学ユニットの構成］
光学ユニット４は、前記制御装置による制御の下、画像情報に応じた画像光を形成して投射する。この光学ユニット４は、光源装置４１と、均一化装置４２と、色分離装置４３と、リレー装置４４と、電気光学装置４５と、投射光学装置４６と、光学部品用筐体４７と、を備える。
【００２１】
光源装置４１は、光源ランプ４１１及びリフレクター４１２を有するものの他、ＬＥＤ（Light Emitting Diode）及びＬＤ（Laser Diode）等の固体光源を有するものを採用できる。
均一化装置４２は、光源装置４１から出射された光の中心軸に対する直交面内の照度を均一化するものであり、レンズアレイ４２１，４２２、反射ミラー４２３、偏光変換素子４２４、及び重畳レンズ４２５を有する。
色分離装置４３は、入射された光から、赤、緑及び青の各色光を分離するものであり、ダイクロイックミラー４３１，４３２及び反射ミラー４３３を有する。
【００２２】
リレー装置４４は、色分離装置４３により分離された３つの色光のうち赤色光を電気光学装置４５の液晶パネル４５１Ｒに導くものであり、入射側レンズ４４１、リレーレンズ４４３、及び反射ミラー４４２，４４４を有する。
電気光学装置４５は、赤、緑及び青の各色光をそれぞれ変調した後、合成するものである。この電気光学装置４５は、それぞれ３つの入射側偏光板４５２、光変調装置としての液晶パネル４５１（赤、緑及び青の各色光用の液晶パネルを４５１Ｒ，４５１Ｇ，４５１Ｂとする）、射出側偏光板４５３と、各液晶パネル４５１により変調された各色光を合成する色合成装置４５４と、を有する。
投射光学装置４６は、色合成装置４５４にて合成された画像光を上記被投射面に投射する投射レンズである。投射光学装置４６は、正面部２３側に配置され、開口部２３１から一部が露出している。この投射光学装置４６は、背面部２４から正面部２３に向かう方向（投射方向）に、画像光を出射し、上記被投射面に投射する。
【００２３】
光学部品用筐体４７は、光源装置４１、均一化装置４２、色分離装置４３及びリレー装置４４を内部に収納する。この光学部品用筐体４７は、各種光学部品を収納する溝部（図示省略）が形成された部品収納部材と、当該部品収納部材に形成された部品収納用の開口部を閉塞する蓋状部材とを備え、これらは合成樹脂又は金属により形成されている。このような光学部品用筐体４７内には、上記各装置４１〜４４が、内部に設定された照明光軸Ａｘに対する所定位置に配置され、上記電気光学装置４５は、当該照明光軸Ａｘ上に配置される。
【００２４】
［冷却装置の構成］
図３は、冷却装置ＣＵの概略構成を示すブロック図である。
冷却装置ＣＵは、冷却対象としての電気光学装置４５から発生した熱を、当該電気光学装置４５を冷却した冷却空気から吸熱し、吸熱された熱を放熱することにより、当該電気光学装置４５を冷却するものである。この冷却装置ＣＵは、図３に示すように、循環冷却装置８、吸熱装置５、熱交換装置６を備える。
これらのうち、循環冷却装置８は、冷却対象である上記電気光学装置４５が内部に配置される密閉筐体８１を有し、当該電気光学装置４５を冷却する。この循環冷却装置８の構成、及び、密閉筐体８１内での各構成の配置については、後に詳述する。
【００２５】
［吸熱装置の構成］
吸熱装置５は、上記密閉筐体８１内を循環する空気から熱を吸熱し、当該熱を熱交換装置６に伝導する。この吸熱装置５は、吸熱器５１、タンク５２及びポンプ５３と、これらを接続するとともに内部を冷却液体が流通する流通管５４（５４１〜５４４）と、を有する。
吸熱器５１は、上記密閉筐体８１内に配置され、当該密閉筐体８１内を循環する冷却空気から熱を吸熱する。この吸熱器５１は、流通管５４１を介してタンク５２と接続され、また、流通管５４４を介して熱交換装置６と接続されている。
タンク５２は、流通管５４内を流通する冷却液体を一時的に貯留する。このタンク５２は、流通管５４２を介してポンプ５３と接続されている。
【００２６】
ポンプ５３は、流通管５４２を介して流入された冷却液体を、熱交換装置６に接続された流通管５４３に圧送する。
そして、熱交換装置６に流通した冷却液体は、当該熱交換装置６にて冷却され、流通管５４４を介して吸熱器５１に流通する。これにより、温度が低い冷却液体が吸熱器５１に流通し、当該吸熱器５１にて密閉筐体８１内の冷却空気から吸熱された熱を帯びた冷却液体が、吸熱器５１から流通管５４１を介してタンク５２に流入される。このように、吸熱装置５では、ポンプ５３が駆動されることによって冷却液体が循環される。
【００２７】
［熱交換装置の構成］
熱交換装置６は、吸熱装置５の流通管５４３を介して流入される冷却液体から吸熱して当該冷却液体を冷却し、吸熱された熱を、吸熱装置５及び循環冷却装置８を含む循環系外に伝導又は放熱する。
【００２８】
［循環冷却装置の構成］
図４は、循環冷却装置８の構成及び配置を示す模式図である。
循環冷却装置８は、密閉筐体８１内に配置された冷却対象としての電気光学装置４５に、上記吸熱装置５により冷却された冷却空気を流通させて、当該電気光学装置４５を冷却する。この循環冷却装置８は、当該密閉筐体８１の他、図４に示すように、循環ファン８２、冷却ファン８３、導風ダクト８４及び隔壁８５を備える。
【００２９】
密閉筐体８１は、電気光学装置４５、循環ファン８２、冷却ファン８３及び導風ダクト８４を内部に収納する箱型筐体であり、外装筐体２内において密閉筐体８１外の空気が内部に流入しにくい密閉構造として構成されている。
この密閉筐体８１は、接続部８１Ａ、下部ダクト８１Ｂ及び上部ダクト８１Ｃが組み合わされて構成されている。
接続部８１Ａは、下部ダクト８１Ｂの端部８１Ｂ１と上部ダクト８１Ｃの端部８１Ｃ１とを接続する部位であるとともに、内部に電気光学装置４５が配置される部位である。この接続部８１Ａは、略筒状に形成されている。
下部ダクト８１Ｂは、縦断面視Ｕ字状に形成され、プロジェクター１が上記正置き姿勢で設置された際に、電気光学装置４５の下方に配置される。この下部ダクト８１Ｂ内には、電気光学装置４５に向けて冷却空気が流通する。
上部ダクト８１Ｃは、縦断面視逆Ｕ字状に形成され、プロジェクター１が上記正置き姿勢で設置された際に、電気光学装置４５の上方に配置される。この上部ダクト８１Ｃ内には、電気光学装置４５を冷却した冷却空気が導入される。
これら下部ダクト８１Ｂにおける上記端部８１Ｂ１とは反対側の端部８１Ｂ２と、上部ダクト８１Ｃにおける上記端部８１Ｃ１とは反対側の端部８１Ｃ２との間には、上記吸熱装置５の吸熱器５１が配置される。
【００３０】
このような密閉筐体８１は、当該密閉筐体８１の外縁を形成する断面視略矩形の外壁部８１１と、当該密閉筐体８１の内側に位置する縦断面視略矩形の内壁部８１２とを有し、これらにより、当該密閉筐体８１は、内部の空気が環状に循環するダクト様に形成されている。
この密閉筐体８１内の密閉空間Ｓにおいては、後述する循環ファン８２により、当該密閉筐体８１内の空気が、第１方向Ｃ１、第２方向Ｃ２、第３方向Ｃ３及び第４方向Ｃ４に沿って順に流通して循環される。なお、第１方向Ｃ１（本発明の反対の方向に相当）と第３方向Ｃ３（本発明の一方の方向に相当）とは互いに反対方向であり、第２方向Ｃ２と第４方向Ｃ４とは互いに反対方向である。また、第１方向Ｃ１と第２方向Ｃ２とは略直交し、第３方向Ｃ３と第４方向Ｃ４とは略直交する。具体的に、第１方向Ｃ１は、天面部２１から底面部２２に向かう方向であり、第３方向Ｃ３は、底面部２２から天面部２１に向かう方向である。また、第２方向Ｃ２及び第４方向Ｃ４は、それぞれ天面部２１及び底面部２２と略平行な面に含まれる方向であり、かつ、互いに反対方向である。
【００３１】
循環ファン８２は、軸流ファンにより構成され、本実施形態では２つ設けられている。これら循環ファン８２は、プロジェクター１が正置き姿勢で設置された場合に、下部ダクト８１Ｂ内において吸熱器５１の下方にそれぞれ位置する。詳述すると、循環ファン８２は、上記第１方向Ｃ１に冷却空気が流通する位置に、ファンの回転軸、すなわち、冷却空気の送出方向が当該第１方向Ｃ１に沿うように配置される。換言すると、循環ファン８２は、ファンの回転軸が外装筐体２の底面部２２に対して略直交するように配置される。この循環ファン８２が、上記制御装置によって駆動されると、密閉筐体８１内の空気が上記のように循環する。
なお、循環ファン８２は、防水機構を有することが好ましい。これにより、吸熱器５１が結露して、循環ファン８２に水滴が付着しても、動作不良の発生を抑制できる。
【００３２】
冷却ファン８３は、例えば、軸流ファンやシロッコファンにより構成され、本実施形態では上記光変調装置としての液晶パネル４５１に応じて３つ設けられている。これら冷却ファン８３は、プロジェクター１が正置き姿勢で設置された場合に、下部ダクト８１Ｂ内において電気光学装置４５の下方に位置する。詳述すると、冷却ファン８３は、上記第３方向Ｃ３に冷却空気が流通する位置に、ファンの回転軸、すなわち、冷却空気の送出方向が当該第３方向Ｃ３に沿うように配置される。換言すると、冷却ファン８３は、ファンの回転軸が外装筐体２の底面部２２に対して略直交するように配置される。この冷却ファン８３が、上記制御装置によって駆動されると、循環ファン８２によって第１方向Ｃ１に送出され、下部ダクト８１Ｂ内を第２方向Ｃ２に沿って流通した冷却空気が吸引され、電気光学装置４５に向けて送出される。
【００３３】
導風ダクト８４は、各冷却ファン８３から送出された冷却空気を、上記３つの液晶パネル４５１うち、当該冷却ファン８３に対応する液晶パネル４５１にそれぞれ導く。この導風ダクト８４は、詳しい図示を省略するが、各冷却ファン８３から送出されて内部に導入された冷却空気を上記第３方向Ｃ３に沿って送出して、対応する液晶パネル４５１に導風する。
隔壁８５は、導風ダクト８４と電気光学装置４５との間に設けられる。この隔壁８５には上記３つの液晶パネル４５１に冷却空気を吐出するための開口部（図示省略）が設けられている。
【００３４】
なお、上述のように冷却ファン８３としてシロッコファンを用いた場合、導風ダクト８４は、シロッコファンから上記第３方向Ｃ３に略直交する方向へ送出された冷却空気が各液晶パネル４５１へ流通可能に構成される。具体的には、例えば、導風ダクト８４は、上記第３方向Ｃ３に略直交する方向へ延出した後、上記第３方向Ｃ３へ屈曲した形状となる。
【００３５】
このような循環冷却装置８においては、上記吸熱器５１にて吸熱されることにより冷却された冷却空気は、下部ダクト８１Ｂの端部８１Ｂ２側に位置する循環ファン８２によって第１方向Ｃ１に沿って送出された後、下部ダクト８１Ｂ内を第２方向Ｃ２に沿って流通する。そして、当該冷却空気は、下部ダクト８１Ｂの端部８１Ｂ１側に位置する冷却ファン８３によって吸引され、導風ダクト８４を介して第３方向Ｃ３に送出され、上記接続部８１Ａ内に位置する電気光学装置４５に流通される。これにより、電気光学装置４５が冷却される。
電気光学装置４５を冷却した冷却空気は、端部８１Ｃ１から上部ダクト８１Ｃ内に流入された後、第４方向Ｃ４に沿って上部ダクト８１Ｃ内を流通し、循環ファン８２によって吸引されて第１方向Ｃ１に沿って流通する。この際、当該冷却空気は、吸熱器５１に沿って流通することにより吸熱され、これにより、当該空気は冷却される。そして、循環ファン８２によって、再度第１方向Ｃ１に沿って送出される。
このように、密閉筐体８１内の空気は、環状に循環される過程にて、電気光学装置４５を冷却し、また、吸熱器５１により冷却される。
【００３６】
［吸熱器及び電気光学装置の配置］
上記のように、吸熱器５１は、上記下部ダクト８１Ｂにおける端部８１Ｂ２側で、かつ、冷却空気が第１方向Ｃ１に沿って流通する部位に配置される。また、電気光学装置４５は、当該下部ダクト８１Ｂにおける端部８１Ｂ１側で、かつ、冷却空気が第３方向Ｃ３に沿って流通する部位に配置される。すなわち、吸熱器５１及び電気光学装置４５は、密閉筐体８１内において、縦断面視Ｕ字状に形成された下部ダクト８１Ｂの一端側と他端側とに、互いに離れて配置されている。換言すると、吸熱器５１及び電気光学装置４５は、密閉筐体８１内において、反対側となる位置に配置されている。さらに具体的に、吸熱器５１及び電気光学装置４５は、密閉筐体８１内において、内壁部８１２を挟んで互いに反対側に位置する。
【００３７】
また、プロジェクター１が上記正置き姿勢から、上記上方投射姿勢又は上記下方投射姿勢へ変更される際でも、吸熱器５１及び電気光学装置４５は、密閉筐体８１内において、内壁部８１２を挟んで互いに反対側に位置する。
すなわち、電気光学装置４５及び吸熱器５１は、内壁部８１２を挟み、左側面部２５から右側面部２６に向かう方向（正置き姿勢時の水平方向）に離間して配置されている。このような構成では、上記正置き姿勢から、上記上方投射姿勢又は上記下方投射姿勢へ変更される際でも、電気光学装置４５及び吸熱器５１が常時水平方向に離間して配置される。
【００３８】
更に、吸熱器５１及び電気光学装置４５は、プロジェクター１が上記正置き姿勢で配置された場合に、水平方向に沿って離間するように配置されている。また、吸熱器５１は、プロジェクター１が上記横置き姿勢で配置された場合に、電気光学装置４５よりも鉛直方向下側に位置するように配置されている。
【００３９】
このように吸熱器５１及び電気光学装置４５が配置されていることにより、吸熱器５１が冷却されて当該吸熱器５１に結露が発生した場合でも、吸熱器５１にて生じた水滴が、電気光学装置４５に付着することを抑制できる。これは、吸熱器５１と電気光学装置４５との間の距離を比較的長くすることができていることによるものだけでなく、吸熱器５１と電気光学装置４５との間に内壁部８１２が位置することにより、当該内壁部８１２を水滴が伝う場合の障害物として利用できることにもよるものである。
【００４０】
［実施形態の効果］
以上説明した本実施形態に係るプロジェクター１によれば、以下の効果がある。
上記一態様では、密閉筐体の内部の循環流路に沿って冷却空気を循環させる循環ファン８２を備え、冷却対象である電気光学装置４５及び吸熱器５１が、内壁部８１２を挟んで反対側に配置される。このような構成では、電気光学装置４５及び吸熱器５１を内壁部８１２によって隔てた状態で離間して配置できる。従って、吸熱器５１に結露した水滴が飛散しても、電気光学装置４５に付着する前に、当該水滴を内壁部８１２によって遮ることができ、電気光学装置４５への水滴の付着を抑制できる。
ここで、冷却対象である電気光学装置４５は、液晶パネル４５１等の電子装置を含み構成される。このため、吸熱器５１の結露によって生じた水滴が、予め想定された許容程度（量や頻度）を超えて付着するような場合、上記電子装置の動作不良や性能劣化等の不具合が発生するおそれがある。
これに対して、本実施形態に係るプロジェクター１では、上述のように、水滴が飛散しても内壁部８１２によって当該水滴を遮ることができ、電気光学装置４５に水滴が付着することを抑制できるため、上記動作不良や性能劣化等の不具合の発生を好適に抑制でき、冷却対象を適切に冷却できる。
【００４１】
また、電気光学装置４５及び吸熱器５１が、上部ダクト８１Ｃ及び下部ダクト８１Ｂを介して配置される。これにより、電気光学装置４５及び吸熱器５１の間の距離を大きくすることができ、上記水滴による冷却対象の性能の劣化をより確実に抑制できる。
【００４２】
また、電気光学装置４５及び吸熱器５１が、導風ダクト８４の隔壁８５により隔てられて、環状の循環流路の反対側に配置される。これにより、吸熱器５１が結露した水滴が飛散しても、電気光学装置４５に付着する前に、当該水滴を隔壁８５によって遮ることができる。従って、上記水滴の付着をより確実に抑制することができる。
【００４３】
電気光学装置４５及び吸熱器５１は、循環流路において、冷却空気の流通方向が反対方向となる位置に配置される。このような構成では、電気光学装置４５及び吸熱器５１を、循環流路における離れた位置に配置できる。これによれば、当該循環流路において、電気光学装置４５と吸熱器５１とを互いに反対側に確実に配置でき、電気光学装置４５と吸熱器５１とを、互いに離して配置できる。従って、上記水滴が発生した場合でも水滴が電気光学装置４５に付着することをより確実に抑制できる。
【００４４】
プロジェクター１は、循環流路上に循環ファン８２及び冷却ファン８３を備える。これら二つのファン８２,８３は、互いに反対方向に冷却空気を流通させるように循環流路上に配置されており、冷却ファン８３は、導風ダクト８４を介して電気光学装置４５に冷却空気を流通させる。
このような構成では、電気光学装置４５は、冷却空気が第３方向Ｃ３に流通する流路上に位置していることから、冷却ファン８３が、導風ダクト８４を介して冷却空気を第３方向Ｃ３に送出することにより、冷却対象に冷却空気を確実に流通させることができる。
【００４５】
また、これら二つのファン８２,８３は、循環流路の反対側に配置された電気光学装置４５及び吸熱器５１にそれぞれ対向配置される。すなわち、ファン８２,８３が、吸熱器５１及び電気光学装置４５のそれぞれにおいて、冷却空気の流通方向に沿って見た平面視において重なる位置に配置される。このような構成では、電気光学装置４５及び吸熱器５１を離間して配置した場合でも、二つのファン８２,８３により冷却空気を循環させ、吸熱器５１及び電気光学装置４５に冷却空気をより確実に流通させることができる。
【００４６】
循環ファン８２及び冷却ファン８３のそれぞれの回転軸は、外装筐体２の底面部２２（天面部２１）に対して略直交する。
ここで、第２方向Ｃ２及び第４方向Ｃ４に冷却空気が流通する流路上に、当該第２方向Ｃ２及び第４方向Ｃ４に回転軸が沿うように、上記循環ファン８２及び冷却ファン８３が配置された場合、上記底面部２２（天面部２１）に対する直交方向（すなわち第１方向Ｃ１及び第３方向Ｃ３）の密閉筐体８１の寸法が、各ファンの寸法に応じて大きくなる。
これに対し、循環ファン８２及び冷却ファン８３は、第１方向Ｃ１及び第３方向Ｃ３に冷却空気を送出する位置に、外装筐体２の底面部２２（天面部２１）に対して回転軸が略直交するようにそれぞれ配置される。これによれば、上記第１方向Ｃ１及び第３方向Ｃ３の密閉筐体８１の寸法を小さくすることができる。従って、プロジェクター１の薄型化を図ることができる。
【００４７】
プロジェクター１は、循環流路上に循環ファン８２及び冷却ファン８３を備える。これら二つのファン８２,８３は、互いに反対方向に冷却空気を流通させるように配置されているため、例えば、直交する方向に流通させるように配置されている場合に比べて、プロジェクター１の厚み寸法を小さくでき、薄型化を図ることができる。
【００４８】
また、吸熱器５１、循環ファン８２、冷却ファン８３、及び冷却対象である電気光学装置４５が、冷却空気の流路に沿って、順次配置される。このような構成では、冷却ファン８３によって電気光学装置４５に送出され加熱された冷却空気を、循環ファン８２によって循環させて、吸熱器５１に導くことができ、冷却対象を適切に冷却できる。
また、循環流路における吸熱器５１と電気光学装置４５との間に循環ファン８２及び冷却ファン８３が配置されるため、吸熱器５１にて結露が発生した水滴が飛散しても、循環ファン８２及び冷却ファン８３により、当該水滴を留めることができる。
【００４９】
また、プロジェクター１では、正置き姿勢（第１姿勢）での設置時における水平方向に沿う方向に、電気光学装置４５及び吸熱器５１が離間している。このような構成では、吸熱器５１から水滴が落下して電気光学装置４５に付着することを抑制でき、上記水滴の付着による不具合の発生を抑制できる。
【００５０】
更に、プロジェクター１では、正置き姿勢に対して傾いて設置される横置き姿勢（第２姿勢）での設置時に、吸熱器５１が、電気光学装置４５よりも下方に配置される。
このような構成では、正置き姿勢及び横置き姿勢で設置可能に構成されたプロジェクター１において、いずれの姿勢で配置されても、吸熱器５１から水滴が落下して電気光学装置４５に付着することを抑制でき、上記水滴の付着による不具合の発生を抑制できる。
【００５１】
また、プロジェクター１では、上方投射姿勢（第３姿勢）、下方投射姿勢（第４姿勢）、及び正置き姿勢のいずれかの姿勢から他の姿勢（例えば、正置き姿勢から上方投射姿勢又は下方投射姿勢）へ、当該プロジェクター１の姿勢を変更する過程において、設置時における水平方向に沿う方向に、電気光学装置４５及び吸熱器５１が常時離間している。このような構成では、吸熱器５１から水滴が落下して電気光学装置４５に付着することを抑制でき、上記水滴の付着による不具合の発生を抑制できる。
【００５２】
［実施形態の変形］
本発明は上記実施形態に限定されるものではなく、本発明の目的を達成できる範囲での変形、改良等は本発明に含まれるものである。
上記実施形態では、吸熱装置５によって吸熱した熱を、熱交換装置６を用いて外部に伝導又は放熱する構成を例示した。しかしながら、本発明はこれに限らない。すなわち、吸熱器５１から吸熱した熱を、外部に放熱可能であればよく、例えば、吸熱器５１によって吸熱した熱を、熱交換装置６を介さずに、ラジエター等により構成された放熱装置を採用し、当該放熱装置に流通管５４３，５４４を接続して、吸熱器５１を冷却してもよい。更に、密閉筐体８１外にヒートシンク等の放熱部材を設け、当該放熱部材と吸熱器５１とを熱伝導可能に接続してもよい。この際、放熱部材と吸熱器５１とを、ペルチェ素子等の熱電変換素子により接続してもよく、ヒートパイプにより接続してもよい。
【００５３】
上記実施形態では、冷却対象として電気光学装置４５を例示したが、本発明はこれに限らない。光学ユニット４を構成する各装置４１〜４４（例えば、偏光変換素子４２４）や、プロジェクター１を構成する各部材を冷却対象としてもよく、この場合でも、水滴の付着による性能劣化や動作不良を抑制でき、プロジェクターを安定的に駆動させることができる。
【００５４】
上記実施形態では、電気光学装置４５の近傍に冷却ファン８３を配置する構成を例示したが、本発明はこれに限らない。例えば、冷却ファン８３を設けずに、循環ファン８２によって冷却空気を循環させてもよい。
【００５５】
上記実施形態では、密閉筐体８１が、環状の循環流路を形成する下部ダクト８１Ｂ及び上部ダクト８１Ｃを備える構成を例示したが、本発明はこれに限らない。密閉筐体８１は、内部に循環流路を形成可能な構成であれば、特に制限されず、例えば、中央部に壁部を有し、当該壁部を介して冷却対象と吸熱器５１とが離間して配置されていてもよい。また、密閉筐体の内部にファン等を適宜配置することにより循環流路を形成してもよい。
上記実施形態では、密閉筐体８１が、下部ダクト８１Ｂ及び上部ダクト８１Ｃが略Ｕ字状に形成される構成を例示したが、本発明はこれに限らない。例えば、下部ダクト８１Ｂ及び上部ダクト８１ＣがＶ字状に形成してもよい。
【００５６】
上記実施形態では、冷却対象としての電気光学装置４５を、空気により冷却するとしたが、本発明はこれに限らない。空気よりも熱伝導性に優れた気体を冷媒として用いることにより、冷却対象としての電気光学装置４５を冷却してもよい。
【００５７】
上記実施形態では、循環ファン８２及び冷却ファン８３は、それぞれ２つ及び３つ設けられるとしたが、本発明はこれに限らない。吸熱器５１の能力や、各ファンの仕様等に応じて、循環ファン８２及び冷却ファン８３の設置数を適宜変更してもよい。
【００５８】
上記実施形態では、正置き姿勢の際に、吸熱器５１及び電気光学装置４５が、水平方向に沿って離間するように配置され、横置き姿勢の際に、吸熱器５１が、電気光学装置４５の下方に配置されるように構成されたが、本発明はこれに限らない。すなわち、横置き姿勢の際に、電気光学装置４５及び吸熱器５１が、水平方向に沿って離間するように配置されてもよい。
【００５９】
上記実施形態では、プロジェクター１は、光変調装置として３つの液晶パネル４５１を備えていたが、本発明はこれに限らない。すなわち、２つ以下、あるいは、４つ以上の液晶パネルを用いたプロジェクターにも、本発明を適用可能である。
上記実施形態では、光学ユニット４における各光学部品の配置位置は、適宜変更可能であり、例えば、平面視略Ｉ字形状を有する構成や、平面視略Ｕ字形状を有する構成を採用してもよい。
上記実施形態では、光束入射面と光束射出面とが異なる透過型の液晶パネル４５１を採用したが、光入射面と光射出面とが同一となる反射型の液晶パネルを用いてもよい。
【００６０】
上記実施形態では、光変調器として液晶パネルを採用する構成を例示したが、入射光束を制御信号（画像情報）に応じて変調可能な光変調器であれば、他の構成の光変調器を採用してもよい。例えば、マイクロミラーを用いたデバイスなど、液晶以外の光変調器を用いたプロジェクターにも、本発明を適用することは可能である。このような光変調装置を用いた場合でも、偏光板を適宜配置して、変調光の偏光方向を適宜設定すればよい。
【符号の説明】
【００６１】
１…プロジェクター、２…外装筐体、２２…底面部（底面）、２４…背面部（背面）、２６…右側面部（一側面）、４５…電気光学装置（冷却対象）、５１…吸熱器、８…循環冷却装置（冷却装置）、８１…密閉筐体、８２…循環ファン、８３…冷却ファン、８４…導風ダクト、８１２…内壁部、Ｃ１…第１方向（反対の方向）、Ｃ３…第３方向（一方の方向）、ＣＵ…冷却装置。
【図１】
0006578715.tif 000002
【図２】
0006578715.tif 000003
【図３】
0006578715.tif 000004
【図４】
0006578715.tif 000005